(57)【要約】【課題】エアフィルターの清掃性能に優れた空気調和機を提供する。【解決手段】ファン１０を具備する風流路１５中に配されたフィルター装置１は、フィルターワク２と、フィルターワク２の上下端部に配された巻取り軸８と、巻取り軸８間に張設されたエアフィルター４と、エアフィルター４の前面側に配され横長の吸引ノズル３と、エアフィルター４に対向するように吸引ノズル３に設けられしかも水平方向に移動可能な吸引口３ａと、吸引口３ａと連通する吸引排気装置５とを備え、下側の巻取り軸８の一部分が、エアフィルター４の裏面側が当接するフィルターワク２の最下端部の接点を通る垂線上もしくは垂線よりもファン１０寄りに位置させたもので、吸引口３ａから吸引排気装置５までの距離を短く且つ簡素に構成できるため圧力損失が低減でき吸引力の向上が図れ、さらにエアフィルターと吸引ノズルとの距離が一定になり、安定した吸引清掃ができる。【選択図】図２
2008221136.tif 000002
【特許請求の範囲】
【請求項１】
ファンを具備する風流路の中にフィルター装置を備え、前記フィルター装置は、フィルターワクと、前記フィルターワクの上下端部に配された巻取り軸と、前記巻取り軸間に張設されたエアフィルターと、前記エアフィルターの前面側に配された横長の吸引ノズルと、前記エアフィルターに対向するように前記吸引ノズルに設けられしかも水平方向に移動可能な吸引口と、前記吸引口と連通する吸引排気装置とを備え、下部に設けた前記巻取り軸の一部分が、前記エアフィルターの裏面側が当接する前記フィルターワクの最下端部の接点を通る垂線上もしくは前記垂線よりも前記ファン寄りに位置させたことを特徴とする空気調和機。
【請求項２】
下側の巻取り軸を、吸引ノズルよりも下方に配したことを特徴とする請求項１に記載の空気調和機。
【請求項３】
エアフィルターの裏面側が当接する当て部材を、吸引口の上方および下方位置に前記吸引ノズルに沿って設けたことを特徴とする請求項１または２に記載の空気調和機。
【請求項４】
エアフィルターの左右端を支える支持部材を、吸引ノズルに相対する位置で、前記エアフィルターの裏面側に設けたことを特徴とする請求項１〜３のいずれか１項に記載の空気調和機。
【請求項５】
エアフィルターの裏面側が当接するブラシ材を、吸引口の上方位置に吸引ノズルに沿って設けたことを特徴とする請求項１〜４のいずれか１項に記載の空気調和機。
【請求項６】
エアフィルターの裏面側が当接するブラシ材を、吸引口の上方および下方位置に吸引ノズルに沿って設けたことを特徴とする請求項１〜４のいずれか１項に記載の空気調和機。
【請求項７】
エアフィルターの前面側が当接するブラシ材を、吸引口の下方位置に吸引ノズルに沿って設けたことを特徴とする請求項１〜６のいずれか１項に記載の空気調和機。
【発明の詳細な説明】
【技術分野】
【０００１】
本発明は、空気調和機に関するもので、特に、エアフィルターの清掃を自動的に行うようにした空気調和機に関するものである。
【背景技術】
【０００２】
従来の一般的な空気調和機は、熱交換器の前方に、空気調和機の本体内部へ埃が侵入することを防ぐためのエアフィルターが設けられており、このエアフィルターは、付着した塵埃を手で清掃できるように本体に着脱自在に取り付けられている。このようなエアフィルターは、頻繁なメンテナンスが必要となるだけでなく、メンテナンスが行われるまでの間には、エアフィルターが除々に目詰まりしていき、その結果、熱交換器を通過する風量が低下し、空調能力が低下して消費電力の増大につながるという問題があった。
【０００３】
そこで、エアフィルターのメンテナンスの手間を低減する目的で、Ｌ型で、エアフィルター面に沿って左右に移動可能な吸引ノズルと、吸引ノズルのエアフィルターに対向する面に配された吸引口と、吸引口と連通する吸引排気装置を設け、前記吸引口より、エアフィルターに付着した塵埃を吸入するようにし、定期的に清掃するようにした空気調和機が提案されている（例えば、特許文献１参照）。
【特許文献１】特開２００４−２８３７０４号公報
【発明の開示】
【発明が解決しようとする課題】
【０００４】
しかしながら、前記特許文献１に記載された従来の空気調和機では、エアフィルターの前面で、Ｌ型の吸引ノズルを左右に駆動する構成のため構造が複雑になりコストの増大につながり、また吸引口から吸引排気装置までの距離が長く且つ曲折したものとなるため圧力損失が大きく吸引力が低下するという課題があった。また、エアフィルターの前面側に付着した埃がエアフィルターの裏面側へ回り込み一部残留するという課題があった。
【０００５】
本発明は、上記従来の課題を解決するもので、安価な構成で、エアフィルターの清掃性能に優れた空気調和機を提供することを目的とする。
【課題を解決するための手段】
【０００６】
前記従来の課題を解決するために、本発明の空気調和機は、ファンを具備する風流路の中にフィルター装置を備え、前記フィルター装置は、フィルターワクと、前記フィルターワクの上下端部に配された巻取り軸と、前記巻取り軸間に張設されたエアフィルターと、前記エアフィルターの前面側に配された横長の吸引ノズルと、前記エアフィルターに対向するように前記吸引ノズルに設けられしかも水平方向に移動可能な吸引口と、前記吸引口と連通する吸引排気装置とを備え、下部に設けた前記巻取り軸の一部分が、前記エアフィルターの裏面側が当接する前記フィルターワクの最下端部の接点を通る垂線上もしくは前記垂線よりも前記ファン寄りに位置させたもので、吸引口から吸引排気装置までの距離を短く且つ簡素に構成できるため圧力損失が低減でき吸引力の向上が図れる。また、下部の巻取り軸の一部分を、垂線よりもファン寄りに配設したことで、エアフィルターが上部の巻取り軸に全て巻き取られた場合でも、エアフィルターは、フィルターワクとの接点から離れることがなく、エアフィルターと前記吸引ノズルとの距離を一定に保つことができるため安定した吸引清掃が実施できる。
【発明の効果】
【０００７】
本発明の空気調和機は、吸引力の向上を簡素な構成で実現でき、さらにエアフィルター
に付着した埃の清掃性能を向上することができるため、空気調和機の基本性能を損なうことなくフィルターの自動清掃を低コストで実現できるという効果が得られる。
【発明を実施するための最良の形態】
【０００８】
第１の発明は、ファンを具備する風流路の中にフィルター装置を備え、前記フィルター装置は、フィルターワクと、前記フィルターワクの上下端部に配された巻取り軸と、前記巻取り軸間に張設されたエアフィルターと、前記エアフィルターの前面側に配された横長の吸引ノズルと、前記エアフィルターに対向するように前記吸引ノズルに設けられしかも水平方向に移動可能な吸引口と、前記吸引口と連通する吸引排気装置とを備え、下部に設けた前記巻取り軸の一部分が、前記エアフィルターの裏面側が当接する前記フィルターワクの最下端部の接点を通る垂線上もしくは前記垂線よりも前記ファン寄りに位置させたもので、吸引口から吸引排気装置までの距離を短く且つ簡素に構成できるため圧力損失が低減でき吸引力の向上が図れる。また、下部の巻取り軸の一部分を、垂線よりもファン寄りに配設したことで、エアフィルターが上部の巻取り軸に全て巻き取られた場合でも、エアフィルターは、フィルターワクとの接点から離れることがなく、エアフィルターと前記吸引ノズルとの距離を一定に保つことができるため安定した吸引清掃が実施できる。
【０００９】
第２の発明は、特に、第１の発明の下側の巻取り軸を、吸引ノズルよりも下方に配したもので、構造の簡素化が図れ、空気調和機への組付性が向上する。
【００１０】
第３の発明は、特に、第１または第２の発明のエアフィルターの裏面側が当接する当て部材を、吸引口の上方および下方位置に前記吸引ノズルに沿って設けたもので、前記吸引ノズル位置における前記エアフィルター面の安定化が図れる。
【００１１】
第４の発明は、特に、第１〜３のいずれか一つの発明のエアフィルターの左右端を支える支持部材を、吸引ノズルに相対する位置で、前記エアフィルターの裏面側に設けたもので、前記エアフィルターの左右端部の安定化が図れる。
【００１２】
第５の発明は、特に、第１〜４のいずれか一つの発明のエアフィルターの裏面側が当接するブラシ材を、吸引口の上方位置に吸引ノズルに沿って設けたもので、前記ブラシ材で前記エアフィルターの裏面側に回り込んだ埃を除去することができるため、清掃性能の向上が図れる。
【００１３】
第６の発明は、特に、第１〜４のいずれか一つの発明のエアフィルターの裏面側が当接するブラシ材を、吸引口の上方および下方位置に吸引ノズルに沿って設けたもので、前記エアフィルターの裏面側に回り込んだ埃を上下に設けた前記ブラシ材で除去することができるため、より清掃性能の向上が図れる。
【００１４】
第７の発明は、特に、第１〜６のいずれか一つの発明のエアフィルターの前面側が当接するブラシ材を、吸引口の下方位置に吸引ノズルに沿って設けたもので、前記ブラシ材で前記エアフィルターの表面側に残留した埃を除去することができるため、更なる清掃性能の向上が図れる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の正面図、図２は、図１のＩ−Ｉ断面図、図３は、同空気調和機のフィルター装置の斜視図、図４は、同フィルター装置に設けた吸引ノズルの外観図である。
【００１７】
図１〜４において、本実施の形態における空気調和機の空気調和機本体１１（以下、「本体１１」という）の内部には、熱交換器９が設けられ、空気の流路となる風流路１５が形成されている。この風流路１５内にはファン１０が設けられ、本体１１の前面から上面に渡り形成された吸込口１６から吸い込み、吹出口１７から吹き出す空気の流れを発生させている。そして、本体１１の前面から上面に渡り形成された吸込口１６と熱交換器９の間に、断面略Ｌ字型のフィルター装置１を配設しており、本体１１に流入する空気中に含まれた塵埃は、このフィルター装置１で取り除かれる。
【００１８】
図３に示すように、フィルター装置１は、フィルターワク２と、フィルターワク２の上下端部に配設した巻取り軸８と、両巻取り軸８間に張設され、塵埃を捕獲するエアフィルター４と、エアフィルター４の前面（風上）側に配された吸引ノズル３と、吸引ノズル３に連結した吸引排気装置５とを備えている。７は、巻取り軸８を駆動する巻取り軸駆動モーター７である。
【００１９】
そして、図２に示すように、下部に設けた巻取り軸８の一部分が、エアフィルター４の裏面側が当接するフィルターワク２の最下端部の接点Ａを通る垂線上もしくは前記垂線よりもファン１０寄りに位置するように、下部巻取り軸８を配設している。
【００２０】
吸引ノズル３には、図４に示すように吸引ノズル３の長手方向に巻き回されたフィルム３ｃを内蔵し、フィルム３ｃには、フィルム３ｃの駆動方向と略直角をなす方向に長辺を有する長方形の吸引口３ａと、吸引口３ａの近傍に位置するブラシ部材３ｂを設け、フィルム駆動モーター６によりフィルム３ｃを回転駆動させることで、吸引口３ａとブラシ部材３ｂを水平方向に、すなわち左右方向に移動可能にしたものである。吸引口３ａは、エアフィルター４の上流側の表面に対向するように配されると共に、吸引ノズル３を介して、吸引排気装置５と連通している。
【００２１】
このように構成されたフィルター装置１の動作について説明する。本体１１の運転停止後に、吸引排気装置５が運転開始し、エアフィルター４の片側端に位置していた吸引口３ａ及びブラシ部材３ｂが、フィルム駆動モーター６によって、図４に示すように矢印Ｂ方向に移動し、エアフィルター４の前面側に付着した埃を、ブラシ部材３ｂで掻き取りながら吸引口３ａから吸い取り、その埃は吸引排気装置５に吸引され、吸引排気装置５の排気側に接続された排気ホース（図示せず）を通り屋外へ排出されるようになっている。
【００２２】
そして、吸引口３ａが、対向する片側端まで移動したときに、フィルム駆動モーター６を逆回転させれば、吸引口３ａは初期の位置に戻る。ここで、巻取り軸駆動モーター７が駆動し、巻取り軸８によりエアフィルター４を巻き回し、埃の付着した部分を吸引口３ａに位置させ再びフィルム駆動モーター６によりフィルム３ｃを駆動して、吸引口３ａ及びブラシ部材３ｂを、図２に示すように矢印Ｂ方向に移動させる。再び、吸引口３ａが、対向する片側端まで移動したときにフィルム駆動モーター６を逆回転させて、吸引口３ａを初期の位置に戻す。以上の動作を繰り返すことにより、エアフィルター４の全面を自動で清掃することが可能となる。
【００２３】
以上のように、本実施の形態によれば、吸引口３ａから吸引排気装置５までの距離を短く且つ簡素に構成できるため圧力損失が低減でき、吸引力の向上が図れる。また、下部の巻取り軸８の一部分を、前記垂線よりもファン１０寄りに配設したことで、エアフィルター４が上部の巻取り軸８に全て巻き取られた場合でも、エアフィルター４は、フィルターワク２との接点Ａから離れることがなく、前記エアフィルター４と前記吸引ノズル３との距離を一定に保つことができるため安定した吸引清掃が実施できる。
【００２４】
また、本実施の形態では、下部に設けた巻取り軸８を吸引ノズル３の下部に備えたので、構造の簡素化が図れ、本体１１への組付性およびサービス性が容易になる。
【００２５】
さらに、本実施の形態では、フィルターワク２に、エアフィルター４の裏面側が当接する当て部材２１を、吸引口３ａの上方および下方位置で、かつ吸引ノズル３に沿うように設けている。これにより、エアフィルター４の面の一層の安定化が図れる。
【００２６】
（実施の形態２）
図５は、本発明の第２の実施の形態における空気調和機のフィルター装置の平面断面図（図２のＩＩ―ＩＩ断面）である。尚、上記第１の実施の形態における空気調和機と同一部分については、同一符号を付してその説明を省略する。
【００２７】
本実施の形態は、図５に示すように、エアフィルター４の左右端を支える支持部材２２をエアフィルター４の裏面側で、かつ吸引ノズル３に相対する位置に設けたものである。上記構成により、清掃動作開始時、フィルム３ｃに備えたブラシ材３ｂがＢ方向へ移動してエアフィルター４の表面に乗り上げるときに、エアフィルター４の端部への引っ掛かりを防止することができる。また、ブラシ材３ｂを往復動作させるとき、一方の片側端でも同様にエアフィルター４の端部への引っ掛かりを防止することが出来る。
【００２８】
（実施の形態３）
図６は、本発明の第３の実施の形態における空気調和機のフィルター装置の要部断面図である。尚、上記実施の形態における空気調和機と同一部分については、同一符号を付してその説明を省略する。
【００２９】
本実施の形態は、図６に示すように、エアフィルター４の裏面側が当接するブラシ材２３を、吸引口３ａの上方位置で、吸引ノズル３に沿って設けたものである。この構成により、エアフィルター４の裏面側へ回り込んだ埃を、エアフィルター４の巻き回し動作時にブラシ材２３で、エアフィルター４の表面側へ押し戻し、その埃を吸引口３ａから吸引することができるようになり、エアフィルター４の裏面への埃の残留が低減でき、清掃性能の向上が図れる。
【００３０】
（実施の形態４）
図７は、本発明の第４の実施の形態における空気調和機のフィルター装置の要部断面図である。尚、上記実施の形態における空気調和機と同一部分については、同一符号を付してその説明を省略する。
【００３１】
本実施の形態は、図７に示すように、エアフィルター４の裏面側が当接するブラシ材２３を、吸引口３ａの上方および下方位置で、吸引ノズル３に沿って設けたものである。この構成により、エアフィルター４の裏面側へ回り込んだ埃を、エアフィルター４の巻き回し動作時に、上下のブラシ材２３で、エアフィルター４の表面側へ押し戻し、その埃を吸引口３ａから吸引することができるようになり、エアフィルター４の裏面への埃の残留がより低減でき、清掃性能の向上が図れる。
【００３２】
（実施の形態５）
図８は、本発明の第５の実施の形態における空気調和機のフィルター装置の要部断面図である。尚、上記実施の形態における空気調和機と同一部分については、同一符号を付してその説明を省略する。
【００３３】
本実施の形態は、図８に示すように、エアフィルター４の前面側が当接するブラシ材２４を、前記吸引口３ａの下方位置に前記吸引ノズル３に沿って設けたものである。この構
成により、清掃動作時に落下する埃やエアフィルター４の表面側に残留した埃をブラシ材２４で除去し、除去した埃を吸引口３ａから吸引することができるため、エアフィルター４への埃の残留がより低減でき、更なる清掃性能の向上が図れる。
【産業上の利用可能性】
【００３４】
以上のように、本発明にかかる空気調和機は、簡素な構成でかつ少ない吸込み風量により、エアフィルターに付着した塵埃を自動で清掃することが可能となるため、空気清浄機などの塵埃を集塵するエアフィルターを装着した機器等の用途にも適用できる。
【図面の簡単な説明】
【００３５】
【図１】本発明の実施の形態１における空気調和機の正面図
【図２】図１のＩ−Ｉ断面図
【図３】同空気調和機のフィルター装置の斜視図
【図４】同フィルター装置に設けた吸引ノズルの外観図
【図５】本発明の実施の形態２における空気調和機のフィルター装置の平面断面図（図２のＩＩ―ＩＩ断面）
【図６】本発明の実施の形態３における空気調和機のフィルター装置の要部断面図
【図７】本発明の実施の形態４における空気調和機のフィルター装置の要部断面図
【図８】本発明の実施の形態５における空気調和機のフィルター装置の要部断面図
【符号の説明】
【００３６】
１  フィルター装置
２  フィルターワク
３  吸引ノズル
３ａ  吸引口
４  エアフィルター
５  吸引排気装置
８  巻取り軸
９  熱交換器
１０  ファン
１１  空気調和機本体（本体）
１５  風流路
１６  吸込口
１７  吹出口
２１  当て部材
【図１】
2008221136.tif 000003
【図２】
2008221136.tif 000004
【図３】
2008221136.tif 000005
【図４】
2008221136.tif 000006
【図５】
2008221136.tif 000007
【図６】
2008221136.tif 000008
【図７】
2008221136.tif 000009
【図８】
2008221136.tif 000010